(57)【要約】【課題】電子名刺の交換に際して、相手に対する失礼を回避すること。【解決手段】ユーザの個人情報を表す電子名刺を携帯端末間で送受信して名刺交換する場合に、電子名刺を交換した相手方携帯端末のユーザの声紋である交換声紋を記憶しておき、電子名刺の交換相手の候補となる交換相手候補の声紋を取得し、取得した交換相手候補の声紋と、記憶された交換声紋とを照合して、一致する声紋があるか否かを判定し、判定された結果を携帯端末で報知する。例えば、携帯端末の画面に判定された結果を表示することで、ユーザに報知する。【選択図】        図２
2008171210.tif 000002
【特許請求の範囲】
【請求項１】
ユーザの個人情報を表す電子名刺を携帯端末間で送受信して名刺交換する電子名刺交換方法をコンピュータに実行させる電子名刺交換プログラムであって、
前記電子名刺を交換した相手方携帯端末のユーザの声紋である交換声紋を所定の記憶部に記憶する交換声紋記憶手順と、
前記電子名刺の交換相手の候補となる交換相手候補の声紋を取得する声紋取得手順と、
前記声紋取得手順が取得した交換相手候補の声紋と、前記交換声紋記憶手順に記憶された前記交換声紋とを照合して、一致する声紋があるか否かを判定する声紋照合判定手順と、
前記声紋照合判定手順によって判定された結果を前記携帯端末で報知する声紋照合判定結果報知手順と、
をコンピュータに実行させることを特徴とする電子名刺交換プログラム。
【請求項２】
前記声紋照合判定結果報知手順は、前記声紋照合判定手順によって前記交換相手候補の声紋と一致する前記交換声紋がない場合は、当該交換相手候補の携帯端末へ前記電子名刺の送信を促すメッセージをさらに報知することを特徴とする請求項１に記載の電子名刺交換プログラム。
【請求項３】
前記交換声紋記憶手順は、前記交換声紋に対応付けて前記相手方携帯端末のユーザの電子名刺の個人情報と交換日時とをさらに記憶し、
前記電子名刺を作成する際に用いる前記個人情報が更新された場合に、更新日時と対応付けて更新された個人情報を所定の記憶部に記憶する個人情報記憶手順と、
前記声紋照合判定手順によって前記交換相手候補の声紋と一致する前記交換声紋がある場合に、前記交換声紋記憶手順が記憶する当該交換声紋に対応する前記交換日時と、前記個人情報手順が記憶する前記更新日時とを照合して、当該交換日時と当該更新日時との前後関係を判定する更新日時前後関係判定手順と、
前記更新日時前後関係判定手順によって判定された前記交換日時と前記更新日時との前後関係を前記携帯端末で報知する更新日時前後関係報知手順と、
をさらにコンピュータに実行させることを特徴とする請求項１または２に記載の電子名刺交換プログラム。
【請求項４】
前記更新日時前後関係報知手順は、前記交換日時が前記更新日時の前である場合は、前記個人情報記憶手順が記憶する当該更新日時に対応する更新された個人情報と、当該更新された個人情報に基づいて作成した電子名刺の送信を促すメッセージとをさらに報知することを特徴とする請求項３に記載の電子名刺交換プログラム。
【請求項５】
前記ユーザが入力したデザインに従って当該ユーザの前記個人情報を構成した電子名刺を前記携帯端末に表示し、当該デザインに従って構成された電子名刺の送信許可を当該ユーザから受け付けて前記交換相手候補の携帯端末に送信する電子名刺処理手順をさらにコンピュータに実行させ、
前記交換声紋記憶手順は、前記交換声紋に対応付けて前記電子名刺処理手順によって送信された前記電子名刺の前記デザインをさらに記憶し、
前記更新日時前後関係報知手順は、前記交換日時が前記更新日時の後である場合は、前記交換相手候補の携帯端末に当該デザインを変更した電子名刺の送信を促すメッセージを報知することを特徴とする請求項４に記載の電子名刺交換プログラム。
【請求項６】
ユーザの個人情報を表す電子名刺を携帯端末間で送受信して名刺交換する電子名刺交換装置であって、
前記電子名刺を交換した相手方携帯端末のユーザの声紋である交換声紋を記憶する交換声紋記憶手段と、
前記電子名刺の交換相手の候補となる交換相手候補の声紋を取得する声紋取得手段と、
前記声紋取得手段が取得した交換相手候補の声紋と、前記交換声紋記憶手段に記憶された前記交換声紋とを照合して、一致する声紋があるか否かを判定する声紋照合判定手段と、
前記声紋照合判定手段によって判定された結果を前記携帯端末で報知する声紋照合判定結果報知手段と、
を備えたことを特徴とする電子名刺交換装置。
【請求項７】
ユーザの個人情報を表す電子名刺を携帯端末間で送受信して名刺交換する電子名刺交換方法であって、
前記電子名刺を交換した相手方携帯端末のユーザの声紋である交換声紋を記憶する交換声紋記憶工程と、
前記電子名刺の交換相手の候補となる交換相手候補の声紋を取得する声紋取得工程と、
前記声紋取得工程が取得した交換相手候補の声紋と、前記交換声紋記憶工程に記憶された前記交換声紋とを照合して、一致する声紋があるか否かを判定する声紋照合判定工程と、
前記声紋照合判定工程によって判定された結果を前記携帯端末で報知する声紋照合判定結果報知工程と、
を含んだことを特徴とする電子名刺交換方法。
【発明の詳細な説明】
【技術分野】
【０００１】
この発明は、電子名刺交換プログラム、電子名刺交換装置および電子名刺交換方法に関する。
【背景技術】
【０００２】
従来より、紙資源の確保、データ管理の容易性などの観点から、紙素材の名刺に代わり、名刺に記載されている情報を電子化した電子名刺の普及が見込まれている。
【０００３】
例えば、特許文献１では、赤外線機能等を利用して電子名刺を交換する電子名刺カードが開示されている。
【０００４】
【特許文献１】特開２００１−２２９３５１号公報
【発明の開示】
【発明が解決しようとする課題】
【０００５】
ところで、上記した従来の技術を用いても、過去において名刺交換をしていることを忘れて名刺を交換してしまう事態は回避できず、相手が自分と名刺交換したことを覚えていた場合には、相手に対して失礼となるという問題点があった。
【０００６】
そこで、この発明は、上述した従来技術の課題を解決するためになされたものであり、電子名刺の交換に際して、相手に対する失礼を回避することが可能になる電子名刺交換プログラム、電子名刺交換装置および電子名刺交換方法を提供することを目的とする。
【課題を解決するための手段】
【０００７】
上述した課題を解決し、目的を達成するため、請求項１に係る発明は、ユーザの個人情報を表す電子名刺を携帯端末間で送受信して名刺交換する電子名刺交換方法をコンピュータに実行させる電子名刺交換プログラムであって、前記電子名刺を交換した相手方携帯端末のユーザの声紋である交換声紋を所定の記憶部に記憶する交換声紋記憶手順と、前記電子名刺の交換相手の候補となる交換相手候補の声紋を取得する声紋取得手順と、前記声紋取得手順が取得した交換相手候補の声紋と、前記交換声紋記憶手順に記憶された前記交換声紋とを照合して、一致する声紋があるか否かを判定する声紋照合判定手順と、前記声紋照合判定手順によって判定された結果を前記携帯端末で報知する声紋照合判定結果報知手順と、をコンピュータに実行させることを特徴とする。
【０００８】
また、請求項２に係る発明は、上記の発明において、前記声紋照合判定結果報知手順は、前記声紋照合判定手順によって前記交換相手候補の声紋と一致する前記交換声紋がない場合は、当該交換相手候補の携帯端末へ前記電子名刺の送信を促すメッセージをさらに報知することを特徴とする。
【０００９】
また、請求項３に係る発明は、上記の発明において、前記交換声紋記憶手順は、前記交換声紋に対応付けて前記相手方携帯端末のユーザの電子名刺の個人情報と交換日時とをさらに記憶し、前記電子名刺を作成する際に用いる前記個人情報が更新された場合に、更新日時と対応付けて更新された個人情報を所定の記憶部に記憶する個人情報記憶手順と、前記声紋照合判定手順によって前記交換相手候補の声紋と一致する前記交換声紋がある場合に、前記交換声紋記憶手順が記憶する当該交換声紋に対応する前記交換日時と、前記個人情報手順が記憶する前記更新日時とを照合して、当該交換日時と当該更新日時との前後関係を判定する更新日時前後関係判定手順と、前記更新日時前後関係判定手順によって判定された前記交換日時と前記更新日時との前後関係を前記携帯端末で報知する更新日時前後関係報知手順と、をさらにコンピュータに実行させることを特徴とする。
【００１０】
また、請求項４に係る発明は、上記の発明において、前記更新日時前後関係報知手順は、前記交換日時が前記更新日時の前である場合は、前記個人情報記憶手順が記憶する当該更新日時に対応する更新された個人情報と、当該更新された個人情報に基づいて作成した電子名刺の送信を促すメッセージとをさらに報知することを特徴とする。
【００１１】
また、請求項５に係る発明は、上記の発明において、前記ユーザが入力したデザインに従って当該ユーザの前記個人情報を構成した電子名刺を前記携帯端末に表示し、当該デザインに従って構成された電子名刺の送信許可を当該ユーザから受け付けて前記交換相手候補の携帯端末に送信する電子名刺処理手順をさらにコンピュータに実行させ、前記交換声紋記憶手順は、前記交換声紋に対応付けて前記電子名刺処理手順によって送信された前記電子名刺の前記デザインをさらに記憶し、前記更新日時前後関係報知手順は、前記交換日時が前記更新日時の後である場合は、前記交換相手候補の携帯端末に当該デザインを変更した電子名刺の送信を促すメッセージを報知することを特徴とする。
【００１２】
また、請求項６に係る発明は、ユーザの個人情報を表す電子名刺を携帯端末間で送受信して名刺交換する電子名刺交換装置であって、前記電子名刺を交換した相手方携帯端末のユーザの声紋である交換声紋を記憶する交換声紋記憶手段と、前記電子名刺の交換相手の候補となる交換相手候補の声紋を取得する声紋取得手段と、前記声紋取得手段が取得した交換相手候補の声紋と、前記交換声紋記憶手段に記憶された前記交換声紋とを照合して、一致する声紋があるか否かを判定する声紋照合判定手段と、前記声紋照合判定手段によって判定された結果を前記携帯端末で報知する声紋照合判定結果報知手段と、を備えたことを特徴とする。
【００１３】
また、請求項７に係る発明は、ユーザの個人情報を表す電子名刺を携帯端末間で送受信して名刺交換する電子名刺交換方法であって、前記電子名刺を交換した相手方携帯端末のユーザの声紋である交換声紋を記憶する交換声紋記憶工程と、前記電子名刺の交換相手の候補となる交換相手候補の声紋を取得する声紋取得工程と、前記声紋取得工程が取得した交換相手候補の声紋と、前記交換声紋記憶工程に記憶された前記交換声紋とを照合して、一致する声紋があるか否かを判定する声紋照合判定工程と、前記声紋照合判定工程によって判定された結果を前記携帯端末で報知する声紋照合判定結果報知工程と、を含んだことを特徴とする。
【発明の効果】
【００１４】
請求項１、６、または７の発明によれば、電子名刺を交換した相手方携帯端末のユーザの声紋である交換声紋を記憶し、電子名刺の交換相手の候補となる交換相手候補の声紋を取得し、取得した交換相手候補の声紋と、記憶された交換声紋とを照合して、一致する声紋があるか否かを判定し、判定された結果を携帯端末で報知するので、携帯端末のユーザは、挨拶を交わした相手と過去に電子名刺の交換をしたか否かを認識して対応することができ、電子名刺の交換に際して、相手に対する失礼を回避することが可能になる。
【００１５】
また、請求項２の発明によれば、交換相手候補の声紋と一致する交換声紋がない場合は、当該交換相手候補の携帯端末へ電子名刺の送信を促すので、携帯端末のユーザは、挨拶を交わした相手と電子名刺の交換をしたことがないことを認識して、電子名刺の交換を申し出るなどの速やかな対応をすることができ、電子名刺の交換に際して、相手に対する失礼を回避することが可能になる。
【００１６】
また、請求項３の発明によれば、交換声紋に対応付けて相手方携帯端末のユーザの電子名刺の個人情報と交換日時とをさらに記憶し、電子名刺を作成する際に用いる個人情報が更新された場合に、更新日時と対応付けて更新された個人情報を所定の記憶部に記憶し、交換相手候補の声紋と一致する交換声紋がある場合に、記憶する当該交換声紋に対応する交換日時と、記憶する更新日時とを照合して、当該交換日時と当該更新日時との前後関係を判定し、判定された交換日時と更新日時との前後関係を携帯端末で報知するので、携帯端末のユーザは、挨拶を交わした相手と過去交換した電子名刺に変更があるか否かを認識して、挨拶を交わした相手と対応することができ、電子名刺の交換に際して、相手に対する失礼を回避することが可能になる。
【００１７】
また、請求項４の発明によれば、交換日時が更新日時の前である場合は、記憶する当該更新日時に対応する更新された個人情報と、当該更新された個人情報に基づいて作成した電子名刺の送信を促すメッセージとをさらに報知するので、携帯端末のユーザは、挨拶を交わした相手と過去交換した電子名刺に変更があることを認識して、更新した電子名刺の送信を申し出るなどの速やかな対応することができ、電子名刺の交換に際して、相手に対する失礼を回避することが可能になる。
【００１８】
また、請求項５の発明によれば、ユーザが入力したデザインに従って当該ユーザの個人情報を構成した電子名刺を携帯端末に表示し、当該デザインに従って構成された電子名刺の送信許可を当該ユーザから受け付けて交換相手候補の携帯端末に送信し、交換声紋に対応付けて送信された電子名刺のデザインをさらに記憶し、交換日時が更新日時の後である場合は、交換相手候補の携帯端末に当該デザインを変更した電子名刺の送信を促すメッセージを報知するので、携帯端末のユーザは、挨拶を交わした相手と過去交換した電子名刺に変更がない場合でも、デザインを変更した電子名刺の送信を申し出るなどの対応することができ、電子名刺の交換に際して、相手に対する失礼を回避することが可能になる。
【発明を実施するための最良の形態】
【００１９】
以下に添付図面を参照して、この発明に係る電子名刺交換プログラム、電子名刺交換装置および電子名刺交換方法の実施例を詳細に説明する。なお、以下では、この発明を携帯電話に適用した場合を実施例として説明する。また、以下では、実施例１における携帯電話装置の構成および処理の手順、実施例１の効果を順に説明し、続いて、実施例１と同様に、実施例２に係る携帯電話装置、実施例３に係る携帯電話装置、実施例４に係る携帯電話装置について順に説明する。
【実施例１】
【００２０】
［実施例１における携帯電話装置の概要および特徴］
まず最初に、図１および図２を用いて、実施例１における携帯電話装置の主たる特徴を具体的に説明する。図１は、実施例１における携帯電話装置の概要を説明するための図であり、図２は、実施例１における携帯電話装置の特徴を説明するための図である。
【００２１】
実施例１における携帯電話装置は、ユーザの個人情報を表す電子名刺を送受信して名刺交換する携帯端末に備えられることを概要とする。すわなち、実施例１における携帯電話装置を備える携帯電話は、当該携帯電話のユーザの個人情報を表す電子名刺を相手方の携帯電話に送信し、相手方の個人情報を表す電子名刺を相手方の携帯電話から受信して名刺交換する。なお、本実施例では、携帯端末として携帯電話に備えられる場合を説明するが、本発明はこれに限られるものではなく、例えば、ＰＨＳやＰＤＡなどの携帯端末に備えられる場合であってもよい。
【００２２】
具体的には、図１に示すように、「氏名」と、所属情報である「会社名」、「部署名」および「役職」などと、連絡先情報である「住所」、「電話番号」、「ＦＡＸ番号」および「メールアドレス」などとを個人情報として表す電子名刺を、「日本太郎」さんの携帯電話と「東京一郎」さんの携帯電話との間で、例えば、赤外線通信によって送受信して名刺交換する。
【００２３】
より具体的には、図１に示すように、「ユーザ：日本太郎」の携帯電話は、「氏名：日本太郎」、「会社名：ＡＢＣ株式会社」、「部署名：営業部営業一課」、「役職：課長代理」、「住所：東京都千代田区・・・・・」、「電話番号：０３−ｘｘｘｘ−ｙｙｙｙ」、「ＦＡＸ番号：０３−ａａａａ―ｂｂｂｂ」および「メールアドレス：ｎｉｈｏｎ＠ａｂｃ．ｃｏ．ｊｐ」を表す電子名刺を「ユーザ：東京一郎」の携帯電話に送信し、「氏名：東京一郎」、「会社名：株式会社ＤＥＦ」、「部署名：事業部第一事業課」、「役職：課長」、「住所：東京都新宿区・・・・・」「電話番号：０３−ｚｚｚｚ−ｗｗｗｗ」、「ＦＡＸ番号：０３−ｃｃｃｃ-ｄｄｄｄ」および「メールアドレス：ｔｏｋｙｏ＠ｄｅｆ．ｃｏ．ｊｐ」を表す電子名刺を、「ユーザ：東京一郎」の携帯電話から受信する。
【００２４】
これと同様に、「ユーザ：東京一郎」の携帯電話は、「東京一郎」の個人情報を表す電子名刺を「ユーザ：日本太郎」の携帯電話に送信し、「日本太郎」の個人情報を表す電子名刺を「ユーザ：日本太郎」の携帯電話から受信する。
【００２５】
ここで、本発明は、電子名刺の交換に際して、相手に対する失礼を回避することが可能になることに主たる特徴がある。この主たる特徴について簡単に説明すると、実施例１における携帯電話装置は、電子名刺を交換した相手方携帯端末のユーザの声紋である交換声紋を記憶する。すなわち、図２に示すように、カードにおける携帯電話装置は、「交換声紋情報」として電子名刺を交換した相手方携帯端末のユーザの「交換声紋」と「管理番号」とを対応付けて記憶する。例えば、「管理番号：１」と「交換声紋：パターン１」とを対応付けて記憶する。なお、図２に示すように、以下では、「交換声紋情報」を、例えば、メモリカードやＳＤカードのような記憶媒体に記憶させておき、これを携帯電話に直接接続して、当該携帯電話がこれを利用して、本発明に係る携帯電話装置として機能する場合について説明するが、本発明はこれに限定されるものではなく、例えば、「交換声紋情報」を携帯電話に記憶させて利用する場合であっても、「交換声紋情報」を記憶する装置を携帯電話に、例えば、ネットワークを通じて接続して、利用する場合であってもよい。
【００２６】
そして、実施例１における携帯電話装置は、電子名刺の交換相手の候補となる交換相手候補の声紋を取得する。すなわち、実施例１における携帯電話装置は、電子名刺の交換相手の候補、例えば、挨拶を交わした相手の音声に基づく声紋を、携帯電話を介して取得する（図２の（１）参照）。例えば、「日本太郎」さんは、交換相手候補と挨拶を交わす際に、「ユーザ：日本太郎」の携帯電話が備える音声入力ボタンを押下し、実施例１における携帯電話装置は、「ユーザ：日本太郎」の携帯電話を介して交換相手候補の音声に基づく声紋を取得する。
【００２７】
そして、実施例１における携帯電話装置は、取得した交換相手候補の声紋と記憶された交換声紋とを照合して、一致する声紋があるか否かを判定する。例えば、取得した交換相手候補の声紋と「交換声紋情報」にある「交換声紋」とを照合して、交換相手候補の声紋と一致するパターンがあるか否かを判定する（図２の（２）参照）。
【００２８】
そして、実施例１における携帯電話装置は、判定された結果を携帯端末で報知する（図２の（３）参照）。具体的には、交換相手候補の声紋と一致する交換声紋があった場合は、例えば、「ユーザ：日本太郎」の携帯電話の画面に「一致する交換声紋があります。電子名刺の交換済みです。」などと表示して、判定結果を「日本太郎」さんに報知する（図２の（４）参照）。一方、交換相手候補の声紋と一致する交換声紋がない場合は、例えば、「ユーザ：日本太郎」の携帯電話の画面に「一致する交換声紋がありません。」などと表示して、判定結果を「日本太郎」さんに報知する（図２の（５）参照）。
【００２９】
さらに、実施例１における携帯電話装置は、交換相手候補の声紋と一致する交換声紋がない場合は、当該交換相手候補の携帯端末へ電子名刺の送信を促すメッセージをさらに報知する。例えば、「ユーザ：日本太郎」の携帯電話の画面に「一致する交換声紋がありません。」との判定結果とともに、「電子名刺の送信をお勧めします。」とのメッセージをさらに「日本太郎」さんに報知する（図２の（５）参照）。なお、この際、「送信しますか？」のメッセージを、電子名刺の送信を許可するボタンである「Ｙｅｓ」と、送信を許可しないボタンである「Ｎｏ」とともに表示してもよい。例えば、「日本太郎」さんが「Ｙｅｓ」のボタンを押下することによって、「ユーザ：日本太郎」の携帯電話は、「日本太郎」の個人情報を表す電子名刺を「ユーザ：東京一郎」の携帯電話に送信する。
【００３０】
このようなことから、実施例１における携帯電話装置を用いることで、携帯電話のユーザは、挨拶を交わした相手と過去に電子名刺の交換をしたか否かを認識して対応することができ、電子名刺の交換に際して、相手に対する失礼を回避することが可能になる。
【００３１】
［実施例１における携帯電話装置の構成］
次に、図３〜６を用いて、実施例１における携帯電話装置を説明する。図３は、実施例１における携帯電話装置の構成を示すブロック図であり、図４は、交換声紋記憶部を説明するための図であり、図５は、実施例１における声紋照合部を説明するための図であり、図６は、実施例１における名刺交換処理部を説明するための図である。
【００３２】
図３に示すように、実施例１における携帯電話装置１０は、携帯電話に備えられ、入力部１１と、出力部１２と、通信部１３と、入出力制御部Ｉ／Ｆ部１４と、記憶部１５と、処理部１６、カード通信制御Ｉ／Ｆ部１７とから構成され、カード２０と接続される。
【００３３】
カード２０は、交換声紋記憶部２０ａを備え、交換声紋記憶部２０ａは、電子名刺を交換した相手方携帯端末のユーザの声紋である交換声紋を記憶する。すなわち、図４に示すように、電子名刺を交換した相手方携帯端末のユーザの「交換声紋」と「管理番号」とを対応付けて記憶する。例えば、「管理番号：１」と「交換声紋：パターン１」とを対応付けて記憶する。なお、交換声紋記憶部２０ａは、特許請求の範囲に記載の「交換声紋記憶手順」に対応する。
【００３４】
入力部１１は、各種情報を入力する。例えば、携帯電話であれば、マイクやテンキーやカーソルなどがこれに該当し、特に本発明に密接に関連するものとしては、処理部１６による各種処理に用いる音声データの取得開始のために、例えば、ボタンなどから音声データの録音開始の指示を受け付けたり、マイクから音声データを入力したりもする。
【００３５】
出力部１２は、各種情報を出力する。例えば、携帯電話であれば、スピーカや画面やバイブレータがこれに該当し、特に本発明に密接に関連するものとしては、後述する名刺交換処理部１６ｃによる処理結果を、例えば、携帯電話の画面に表示したりもする。
【００３６】
通信部１３は、他の装置との通信を制御する。例えば、携帯電話であれば、基地局との通信や、他の携帯端末との赤外線通信や、無線ＬＡＮとの無線通信などを制御し、特に本発明に密接に関連するものとしては、他の携帯端末との電子名刺の通信を、例えば、赤外線通信によって制御したりもする。
【００３７】
入出力制御Ｉ／Ｆ部１４は、入力部１１、出力部１２および通信部１３と、記憶部１５および処理部１６との間におけるデータ転送を制御する。
【００３８】
カード通信制御部Ｉ／Ｆ部１７は、記憶部１５および処理部１６とカード２０との間におけるデータ転送を制御する。
【００３９】
記憶部１５は、各種処理に必要なデータおよびプログラムを格納する。例えば、携帯電話であれば、電話番号や、メールアドレスなどを格納し、特に本発明に密接に関連するものとしては、図３に示すように、取得声紋記憶部１５ａと、照合結果記憶部１５ｂとを備える。取得声紋記憶部１５ａは、後述する声紋取得部１６ａが取得する声紋を記憶し、照合結果記憶部１５ｂは、後述する声紋照合部１６ｂが照合して判定した結果を記憶する。
【００４０】
処理部１６は、ＯＳ（Ｏｐｅｒａｔｉｎｇ  Ｓｙｓｔｅｍ）などの制御プログラム、各種の処理手順などを規定したプログラムおよび所要データを格納するための内部メモリを有し、これらによって種々の処理を実行して携帯電話を制御し、特に本発明に密接に関連するものとしては、図３に示すように、声紋取得部１６ａと、声紋照合部１６ｂと、名刺交換処理部１６ｃとを備える。ここで、声紋取得部１６ａは、特許請求の範囲に記載の「声紋取得手順」に対応し、声紋照合部１６ｂは、同じく「声紋照合判定手順」に対応し、名刺交換処理部１６ｃは、同じく「声紋照合判定結果報知手順」に対応する。
【００４１】
声紋取得部１６ａは、電子名刺の交換相手の候補となる交換相手候補の声紋を取得し、その結果を、取得声紋記憶部１５ａに格納する。すなわち、声紋取得部１６ａは、電子名刺の交換相手の候補、例えば、挨拶を交わした相手の音声に基づく声紋を取得する。例えば、図２に示すように、「日本太郎」さんは、挨拶を交わす際に、「ユーザ：日本太郎」の入力部１１が備える音声入力ボタンを押下し、「ユーザ：日本太郎」の携帯電話を介して交換相手候補の音声に基づく声紋を取得する。なお、携帯電話に、新たな入力部１１として「音声入力ボタン」を設置してもよいし、既存のボタン（例えば、「Ｍｅｎｕ」ボタンなど）を「音声入力ボタン」として機能できるように設定してもよい。
【００４２】
声紋照合部１６ｂは、取得声紋記憶部１５ａが記憶する取得した交換相手候補の声紋と、交換声紋記憶部２０ａが記憶する交換声紋とを照合して、一致する声紋があるか否かを判定し、その結果を、照合結果記憶部１５ｂに格納する。例えば、図５に示すように、取得した交換相手候補の声紋と「交換声紋」とを照合して、一致するパターンがあるか否かを判定する。
【００４３】
名刺交換処理部１６ｃは、照合結果記憶部１５ｂが記憶する結果を出力部１２に出力して、携帯電話のユーザに報知する。具体的には、交換相手候補の声紋と一致する交換声紋があった場合は、例えば、「ユーザ：日本太郎」の携帯電話の画面に「一致する交換声紋があります。電子名刺の交換済みです。」などと表示して、判定結果を「日本太郎」さんに報知する（図６の矢印（１）参照）。一方、交換相手候補の声紋と一致する交換声紋がない場合は、例えば、「ユーザ：日本太郎」の携帯電話の画面に「一致する交換声紋がありません。」などと表示して、判定結果を「日本太郎」さんに報知する（図６の矢印（２）参照）。
【００４４】
さらに、名刺交換処理部１６ｃは、交換相手候補の声紋と一致する交換声紋がない場合は、当該交換相手候補の携帯端末へ電子名刺の送信を促すメッセージをさらに報知する。例えば、「ユーザ：日本太郎」の携帯電話の画面に「一致する交換声紋がありません。」との判定結果とともに、「電子名刺の送信をお勧めします。」とのメッセージをさらに「日本太郎」さんに報知する（図６の矢印（２）参照）。なお、この際、「送信しますか？」のメッセージを、電子名刺の送信を許可するボタンである「Ｙｅｓ」と、送信を許可しないボタンである「Ｎｏ」とともに表示してもよい。例えば、「日本太郎」さんが「Ｙｅｓ」のボタンを、入力部１１を介して、押下することによって、「ユーザ：日本太郎」の携帯電話は、「日本太郎」の個人情報を表す電子名刺を「ユーザ：東京一郎」の携帯電話に送信する。
【００４５】
［実施例１における携帯電話装置による処理の手順］
次に、図７を用いて、実施例１における携帯電話装置１０による処理を説明する。図７は、実施例１における携帯電話装置の処理の手順を説明するための図である。
【００４６】
まず、実施例１における携帯電話装置１０は、音声入力ボタンが押されると（ステップＳ７０１肯定）、声紋取得部１６ａは、電子名刺の交換相手候補の音声に基づく声紋を取得する（ステップＳ７０２）。例えば、図２に示すように、「日本太郎」さんは、挨拶を交わす際に、音声入力ボタンを押下し、「ユーザ：日本太郎」の携帯電話を介して交換相手候補の音声に基づく声紋を取得する。
【００４７】
そして、声紋照合部１６ｂは、取得した交換相手候補の声紋と交換声紋とを照合し（ステップＳ７０３）、一致する声紋があるか否かを判定する（ステップＳ７０４）。名刺交換処理部１６ｃは、一致する声紋があると（ステップＳ７０４肯定）、「一致する交換声紋があり、電子名刺交換済みとの情報」を携帯電話で報知して（ステップＳ７０５）、処理を終了する。例えば、交換相手候補の声紋と一致する交換声紋のパターンがあると、「ユーザ：日本太郎」の携帯電話の画面に「一致する交換声紋があります。電子名刺の交換済みです。」などと表示して、判定結果を「日本太郎」さんに報知する（図６の矢印（１）参照）。
【００４８】
これに反して、一致する声紋がないと（ステップＳ７０４否定）、名刺交換処理部１６ｃは、「一致する交換声紋がないとする情報とともに、電子名刺交換を促すメッセージ」を携帯電話で報知して（ステップＳ７０６）、処理を終了する。例えば、「ユーザ：日本太郎」の携帯電話の画面に「一致する交換声紋がありません。」などと表示して、判定結果を「日本太郎」さんに報知するとともに、「電子名刺の送信をお勧めします。」とのメッセージをさらに「日本太郎」さんに報知する（図６の矢印（２）参照）。なお、この際、「送信しますか？」のメッセージを、電子名刺の送信を許可するボタンである「Ｙｅｓ」と、送信を許可しないボタンである「Ｎｏ」とともに表示してもよい。
【００４９】
［実施例１の効果］
上記したように、実施例１によれば、電子名刺を交換した相手方携帯電話のユーザの声紋である交換声紋を記憶し、電子名刺の交換相手の候補となるユーザの声紋を取得し、取得した交換相手候補の声紋と、記憶された交換声紋とを照合して、一致する声紋があるか否かを判定し、判定された結果を携帯電話で報知するので、携帯電話のユーザは、挨拶を交わした相手と過去に電子名刺の交換をしたか否かを認識して対応することができ、電子名刺の交換に際して、相手に対する失礼を回避することが可能になる。
【００５０】
また、実施例１によれば、交換相手候補の声紋と一致する交換声紋がない場合は、当該交換相手候補の携帯電話へ電子名刺の送信を促すメッセージをさらに報知するので、携帯電話のユーザは、挨拶を交わした相手と電子名刺の交換をしたことがないことを認識して、電子名刺の交換を申し出るなどの速やかな対応をすることができ、電子名刺の交換に際して、相手に対する失礼を回避することが可能になる。
【実施例２】
【００５１】
上述した実施例１では、一致する交換声紋がない場合に、電子名刺の送信を促すメッセージを携帯電話で報知する場合を説明したが、実施例２では、一致する交換声紋があり、電子名刺の交換後に名刺が更新された場合にも、電子名刺の送信を促すメッセージを携帯電話で報知する場合について説明する。
【００５２】
［実施例２における携帯電話装置の概要および特徴］
まず最初に、図８を用いて、実施例２における携帯電話装置の主たる特徴を具体的に説明する。図８は、実施例２における携帯電話装置の概要および特徴を説明するための図である。
【００５３】
実施例２における携帯電話装置は、実施例１と同様に、ユーザの個人情報を表す電子名刺を送受信して名刺交換する携帯電話に備えられる。
【００５４】
ここで、実施例２における携帯電話装置は、電子名刺を交換した相手方携帯端末のユーザの声紋である交換声紋に対応付けて相手方携帯端末のユーザの電子名刺の個人情報と交換日時とをさらに記憶する。すなわち、図８の上表の「名刺交換情報」に示すように、カードにおける携帯電話装置は、「名刺交換情報」として電子名刺を交換した相手方携帯端末のユーザの「交換声紋」とともに、「交換日時」および受信した電子名刺の個人情報を「管理番号」とを対応付けて記憶する。例えば、図１に示した「氏名：東京一郎」さんの電子名刺の個人情報（「会社名」、「部署名」、「役職」などの所属情報と、「住所」、「電話番号」、「ＦＡＸ番号」、「メールアドレス」などの連絡先情報）を、「管理番号：２」、「交換声紋：パターン２」および「交換日時：２００５年１２月６日」と対応付けて、「名刺交換情報」として記憶する。
【００５５】
一方、実施例２における携帯電話装置は、電子名刺を作成する際に用いる個人情報が更新された場合に、更新日時と対応付けて更新された個人情報を記憶する。すなわち、図８の下左表および下右表に示すように、カードにおける携帯電話装置は、電子名刺に用いられる個人情報（「会社名」、「部署名」、「役職」などの所属情報と、「住所」、「電話番号」、「ＦＡＸ番号」、「メールアドレス」などの連絡先情報）を、更新された「更新日時」と対応付けて、「名刺情報」として記憶する。例えば、図８の下左表に示す「名刺情報」は、携帯電話の「ユーザ：日本太郎」さんの「名刺情報」が、「更新日時：２００３年４月１日」に「役職」が「係長」に更新され、さらに、「更新日時：２００５年４月１日」に「役職」が「課長代理」に更新されていることを、電子名刺に用いられる個人情報とともに記憶する。この場合、「最新の更新日時」は「２００５年４月１日」である。
【００５６】
また、図８の下右表に示す「名刺情報」は、携帯電話の「ユーザ：日本太郎」さんの「名刺情報」として、「更新日時：２００５年４月１日」に「役職」が「係長」に更新され、さらに、「更新日時：２００６年４月１日」に「役職」が「課長代理」に更新されていることを、電子名刺に用いられる個人情報とともに記憶する。この場合、「最新の更新日時」は「２００６年４月１日」である。なお、図８の下左表および下右表では、「ユーザ：日本太郎」さんの「役職」以外の個人情報は、更新されていない。
【００５７】
そして、実施例２における携帯電話装置は、実施例１における携帯電話装置と同様に、電子名刺の交換相手の候補となるユーザの声紋を取得する。例えば、「日本太郎」さんは、挨拶を交わす際に（例えば、２００６年１２月５日に）、「ユーザ：日本太郎」の携帯電話が備える音声入力ボタンを押下し、「ユーザ：日本太郎」の携帯電話を介して交換相手候補の音声に基づく声紋を取得する（図８の（１）参照）。
【００５８】
そして、実施例２における携帯電話装置は、実施例１における携帯電話装置と同様に、取得した交換相手候補の声紋と記憶された交換声紋とを照合して、一致する声紋があるか否かを判定する。例えば、取得した交換相手候補の声紋と「名刺交換情報」にある「交換声紋」とを照合して、交換相手候補の声紋と一致するパターンがあるか否かを判定する（図８の（２）参照）。
【００５９】
そして、実施例２における携帯電話装置は、交換相手候補の声紋と一致する交換声紋がある場合に、「名刺交換情報」が記憶する当該交換声紋に対応する「交換日時」と、「名刺情報」が記憶する「最新の更新日時」とを照合して、当該交換日時と当該更新日時との前後関係を判定する（図８の（３）参照）。例えば、図８に示すように、取得した交換相手候補の声紋が、「名刺交換情報」にある「管理番号：２、交換声紋：パターン２、氏名：東京一郎」と一致する場合、「名刺交換情報」が記憶する「管理番号：２、交換声紋：パターン２」に対応する「交換日時：２００５年１２月６日」と、「名刺情報」が記憶する「最新の更新日時」とを照合して、当該交換日時と当該更新日時との前後関係を判定する。
【００６０】
そして、実施例２における携帯電話装置は、判定された交換日時と更新日時との前後関係を携帯端末で報知する。具体的には、「交換日時：２００５年１２月６日」と、図８の下左表に示す「名刺情報」が記憶する「最新の更新日時：２００５年４月１日」とを照合して、「名刺情報」が更新後に電子名刺を交換していた場合は（図８の（４−１）参照）、例えば、「ユーザ：日本太郎」の携帯電話の画面に「電子名刺の交換済みです。更新ありません。」と表示して、結果を「日本太郎」さんに報知する（図８の（５−１）参照）。
【００６１】
一方、実施例２における携帯電話装置は、「交換日時：２００５年１２月６日」と、図８の下右表に示す「名刺情報」が記憶する「最新の更新日時：２００６年４月１日」とを照合して、電子名刺を交換後に「名刺情報」が更新されていた場合は（図８の（４−２）参照）、例えば、「ユーザ：日本太郎」の携帯電話の画面に「電子名刺の交換済みです。更新あります。」と表示して、判定結果を「日本太郎」さんに報知する（図８の（５−２）参照）。
【００６２】
さらに、実施例２における携帯電話装置は、交換日時が更新日時の前である場合は、当該更新日時に対応する更新された「名刺情報」と、当該更新された「名刺情報」に基づいて作成した電子名刺の送信を促すメッセージとをさらに報知する。例えば、電子名刺を交換後に「名刺情報」が更新されていた場合は（図８の（４−２）参照）、「ユーザ：日本太郎」の携帯電話の画面に「電子名刺の交換済みです。更新あります。」とともに、『「役職」が「係長」から「課長代理」に更新されています。』  と「電子名刺の送信をお勧めします。」とのメッセージをさらに「日本太郎」さんに報知する（図８の（５−２）参照）。なお、この際、「送信しますか？」のメッセージを、電子名刺の送信を許可するボタンである「Ｙｅｓ」と、送信を許可しないボタンである「Ｎｏ」とともに表示してもよい。例えば、「日本太郎」さんが「Ｙｅｓ」のボタンを押下することによって、「ユーザ：日本太郎」の携帯電話は、「日本太郎」の個人情報を表す電子名刺を「ユーザ：東京一郎」の携帯電話に送信する。
【００６３】
このようなことから、実施例２における携帯電話装置を用いることで、携帯端末のユーザは、挨拶を交わした相手と過去交換した電子名刺に変更があるか否かを認識して、挨拶を交わした相手と対応することができ、電子名刺の交換に際して、相手に対する失礼を回避することが可能になる。
【００６４】
［実施例２における携帯電話装置の構成］
次に、図９〜１４を用いて、実施例２における携帯電話装置を説明する。図９は、実施例２における携帯電話装置の構成を示すブロック図であり、図１０は、実施例２における名刺交換情報記憶部を説明するための図であり、図１１は、名刺情報記憶部を説明するための図であり、図１２は、実施例２における声紋照合部を説明するための図であり、図１３は、前後関係判定部を説明するための図であり、図１４は、実施例２における名刺交換処理部を説明するための図である。
【００６５】
図９に示すように、実施例２における携帯電話装置１０は、図３に示した実施例１における携帯電話装置１０と同様に、携帯電話に備えられ、入力部１１と、出力部１２と、通信部１３と、入出力制御部Ｉ／Ｆ部１４と、記憶部１５と、処理部１６、カード通信制御Ｉ／Ｆ部１７とから構成され、カード２０と接続されるが、前後関係判定部１６ｄと前後関係判定結果記憶部１５ｃを新たに備え、また、カード２０に、別途、名刺交換情報記憶部２０ｂと、名刺情報記憶部２０ｃとを備え、さらに、名刺交換処理部１６ｃの処理の内容が異なる。以下、これらを中心に説明する。なお、前後関係判定部１６ｄは、特許請求の範囲に記載の「更新日時前後関係判定手順」に対応し、名刺交換処理部１６ｃは、同じく、「声紋照合判定結果報知手順」および「更新日時前後関係報知手順」に対応する。
【００６６】
カード２０は、名刺交換情報記憶部２０ｂと、名刺情報記憶部２０ｃとを備える。なお、名刺交換情報記憶部２０ｂは、特許請求の範囲に記載の「交換声紋記憶手順」に対応し、名刺情報記憶部２０ｃは、同じく、「個人情報記憶手順」に対応する。
【００６７】
名刺交換情報記憶部２０ｂは、電子名刺を交換した相手方携帯端末のユーザの声紋である交換声紋に対応付けて相手方携帯端末のユーザの電子名刺の個人情報と交換日時とをさらに記憶する。すなわち、電子名刺を交換した相手方携帯端末のユーザの「交換声紋」とともに、「交換日時」および受信した電子名刺の内容を「管理番号」とを対応付けて記憶する。例えば、図１０に示すように、「氏名：東京一郎」さんの電子名刺の個人情報（「会社名：株式会社ＤＥＦ」、「部署名：事業部第一事業課」、「役職：課長」、「住所：東京都新宿区・・・・・」、「電話番号：０３−ｚｚｚｚ−ｗｗｗｗ」、「ＦＡＸ番号：０３−ｃｃｃｃ-ｄｄｄｄ」および「メールアドレス：ｔｏｋｙｏ＠ｄｅｆ．ｃｏ．ｊｐ」）を、「管理番号：２」、「交換声紋：パターン２」および「交換日時：２００５年１２月６日」と対応付けて記憶する。
【００６８】
名刺情報記憶部２０ｃは、電子名刺を作成する際に用いる個人情報が更新された場合に、更新日時と対応付けて更新された個人情報を記憶する。すなわち、図１１示すように、電子名刺に用いられる個人情報（「会社名」、「部署名」、「役職」などの所属情報と、「住所」、「電話番号」、「ＦＡＸ番号」、「メールアドレス」などの連絡先情報）を、更新された「更新日時」と対応付けて記憶する。例えば、図１１の（Ａ）に示すように、携帯電話の「ユーザ：日本太郎」さんの個人情報が、「更新日時：２００３年４月１日」に「役職」が「係長」に更新され、さらに、「更新日時：２００５年４月１日」に「役職」が「課長代理」に更新されていることを、電子名刺に用いられる個人情報とともに記憶する。この場合、「最新の更新日時」は「２００５年４月１日」である。
【００６９】
また、図１１の（Ｂ）に示すように、携帯電話の「ユーザ：日本太郎」さんの「名刺情報」として、「更新日時：２００５年４月１日」に「役職」が「係長」に更新され、さらに、「更新日時：２００６年４月１日」に「役職」が「課長代理」に更新されていることを、電子名刺に用いられる個人情報とともに記憶する。この場合、「最新の更新日時」は「２００６年４月１日」である。なお、図１１の（Ａ）および(Ｂ)では、「ユーザ：日本太郎」さんの「役職」以外の個人情報は、更新されていない。
【００７０】
声紋取得部１６ａは、実施例１と同様に、電子名刺の交換相手の候補となるユーザの声紋を取得し、その結果を、取得声紋記憶部１５ａに格納する。例えば、「日本太郎」さんは、交換相手候補と挨拶を交わす際に（例えば、２００６年１２月５日に）、「ユーザ：日本太郎」の携帯電話が備える音声入力ボタンを押下し、「ユーザ：日本太郎」の携帯電話を介して交換相手候補の音声に基づく声紋を取得する（図８の（１）参照）。
【００７１】
声紋照合部１６ｂは、取得声紋記憶部１５ａが記憶する取得した交換相手候補の声紋と、名刺交換情報記憶部２０ｂが記憶する交換声紋とを照合して、一致する声紋があるか否かを判定し、実施例１と同様に、その結果を、照合結果記憶部１５ｂに格納する。具体的には、取得した声紋と「名刺交換情報」にある「交換声紋」とを照合して、一致するパターンがあるか否かを判定し（図８の（２）参照）、例えば、図１２に示すように、取得した声紋が、「管理番号：２、交換声紋：パターン２、氏名：東京一郎」と一致すると判定し、「管理番号：２」に対応する情報（図１２の灰色で示した情報）を照合結果記憶部１５ｂに格納する。
【００７２】
前後関係判定部１６ｄは、交換相手候補の声紋と一致する交換声紋がある場合に、照合結果記憶部１５ｂが記憶する当該交換声紋に対応する「交換日時」と、名刺情報記憶部２０ｃが記憶する「最新の更新日時」とを照合して、当該交換日時と当該更新日時との前後関係を判定し、その結果を前後関係判定結果記憶部１５ｃに格納する。例えば、図１２に示すように、取得した交換相手候補の声紋が、「名刺交換情報」にある「管理番号：２、交換声紋：パターン２、氏名：東京一郎」と一致する場合、照合結果記憶部１５ｂが記憶する「管理番号：２、交換声紋：パターン２」に対応する「交換日時：２００５年１２月６日」と、名刺情報記憶部２０ｃが記憶する「最新の更新日時」とを照合して、当該交換日時と当該更新日時との前後関係を判定する。例えば、図１１の（Ａ）に示す「最新の更新日時：２００５年４月１日」と照合して、「名刺情報」が更新後に電子名刺を交換していると判定する（図１３の（Ａ）参照）。また、図１１の（Ｂ）に示す「最新の更新日時：２００６年４月１日」と照合して、電子名刺を交換後に「名刺情報」が更新されていると判定する（図１３の（Ｂ）参照）。なお、本実施例では、前後関係判定部１６ｄは、交換日時と更新日時との前後関係とともに、更新された個人情報も前後関係判定結果記憶部１５ｃに格納する。
【００７３】
名刺交換処理部１６ｃは、前後関係判定結果記憶部１５ｃが記憶する判定結果を、出力部１３に出力して、携帯電話のユーザに報知する。具体的には、図１３の（Ａ）の場合には、例えば、「ユーザ：日本太郎」の携帯電話の画面に「電子名刺の交換済みです。更新ありません。」と表示して、判定結果を「日本太郎」さんに報知する（図１４の矢印（１）参照）。
【００７４】
また、名刺交換処理部１６ｃは、例えば、図１３の（Ｂ）の場合には、「ユーザ：日本太郎」の携帯電話の画面に「電子名刺の交換済みです。更新あります。」と表示して、判定結果を「日本太郎」さんに報知する（図１４の矢印（２）参照）。
【００７５】
さらに、名刺交換処理部１６ｃは、交換日時が更新日時の前である場合は、前後関係判定結果記憶部１５ｃが記憶する当該更新日時に対応する更新された個人情報と、当該更新された個人情報に基づいて作成した電子名刺の送信を促すメッセージとをさらに報知する。例えば、図１３の（Ｂ）の場合には、「ユーザ：日本太郎」の携帯電話の画面に「電子名刺の交換済みです。更新あります。」とともに、『「役職」が「係長」から「課長代理」に更新されています。』  と「電子名刺の送信をお勧めします。」とのメッセージをさらに「日本太郎」さんに報知する（図１４の矢印（２）参照）。なお、この際、「送信しますか？」のメッセージを、電子名刺の送信を許可するボタンである「Ｙｅｓ」と、送信を許可しないボタンである「Ｎｏ」とともに表示してもよい。例えば、「日本太郎」さんが「Ｙｅｓ」のボタンを押下することによって、「ユーザ：日本太郎」の携帯電話は、「日本太郎」の個人情報を表す電子名刺を「ユーザ：東京一郎」の携帯電話に送信する。
【００７６】
なお、名刺交換処理部１６ｃは、声紋照合部１６ｂが照合結果記憶部１５ｂに格納した結果が、「交換相手候補の声紋と一致する交換声紋がなし」の場合は、実施例１と同様に、当該交換相手候補の携帯端末へ電子名刺の送信を促すメッセージを報知する。
【００７７】
［実施例２における携帯電話装置による処理の手順］
次に、図１５を用いて、実施例２における携帯電話装置１０による処理を説明する。図１５は、実施例２における携帯電話装置の処理の手順を説明するための図である。
【００７８】
まず、実施例２における携帯電話装置１０は、音声入力ボタンが押されると（ステップＳ１５０１肯定）、実施例１と同様に（図７に示したステップＳ７０２〜ステップＳ７０４と同様に）、「交換相手候補の声紋の取得」と、「交換相手候補の声紋と交換声紋とを照合」と、「交換相手候補の声紋と一致する交換声紋があるか否かの判定」を行なう（ステップＳ１５０２〜ステップＳ１５０４）。
【００７９】
そして、名刺交換処理部１６ｃは、一致する声紋がないと（ステップＳ１５０４否定）、「一致する交換声紋がないとする情報とともに、電子名刺交換を促すメッセージ」を携帯電話で報知して（ステップＳ１５０６）、処理を終了する。例えば、「ユーザ：日本太郎」の携帯電話の画面に「一致する交換声紋がありません。」などと表示して、判定結果を「日本太郎」さんに報知するとともに、「電子名刺の送信をお勧めします。」とのメッセージをさらに「日本太郎」さんに報知する（図６の矢印（２）参照）。なお、この際、「送信しますか？」のメッセージを、電子名刺の送信を許可するボタンである「Ｙｅｓ」と、送信を許可しないボタンである「Ｎｏ」とともに表示してもよい。
【００８０】
これに反して、一致する声紋があると（ステップＳ１５０４肯定）、前後関係判定部１６ｄは、照合結果記憶部１５ｂが記憶する当該交換声紋に対応する「交換日時」と、名刺情報記憶部２０ｃが記憶する「最新の更新日時」とを照合する（ステップＳ１５０５）。例えば、図１２に示すように、取得した交換相手候補の声紋が、「名刺交換情報」にある「管理番号：２、交換声紋：パターン２、氏名：東京一郎」と一致する場合、照合結果記憶部１５ｂが記憶する「管理番号：２、交換声紋：パターン２」に対応する「交換日時：２００５年１２月６日」と、名刺情報記憶部２０ｃが記憶する「最新の更新日時」とを照合して、当該交換日時と当該更新日時との前後関係を判定する。
【００８１】
そして、名刺情報更新後に名刺交換している場合（「交換日時」が「最新の更新日時」の後である場合）は（ステップＳ１５０７肯定）、名刺交換処理部１６ｃは、その結果を携帯電話のユーザに報知して（ステップＳ１５０８）、処理を終了する。例えば、前後関係判定部１６ｄは、図１１の（Ａ）に示す「最新の更新日時：２００５年４月１日」と「交換日時：２００５年１２月６日」とを照合して、「名刺情報」が更新後に電子名刺を交換していると判定し（図１３の（Ａ）参照）、名刺交換処理部１６ｃは、「ユーザ：日本太郎」の携帯電話の画面に「電子名刺の交換済みです。更新ありません。」と表示して、判定結果を「日本太郎」さんに報知する（図１４の矢印（１）参照）。
【００８２】
これに反して、名刺情報更新後に名刺交換してない場合（「交換日時」が「最新の更新日時」の前である場合）は（ステップＳ１５０７否定）、名刺交換処理部１６ｃは、その結果とともに、更新された情報と、当該交換相手候補の携帯端末へ電子名刺の送信を促すメッセージをさらに報知して（ステップＳ１５０９）、処理を終了する。例えば、前後関係判定部１６ｄは、図１１の（Ｂ）に示す「最新の更新日時：２００６年４月１日」と「交換日時：２００５年１２月６日」とを照合して、電子名刺を交換後に「名刺情報」が更新されていると判定し（図１３の（Ｂ）参照）、名刺交換処理部１６ｃは、「ユーザ：日本太郎」の携帯電話の画面に「電子名刺の交換済みです。更新あります。」と表示して、判定結果を「日本太郎」さんに報知するとともに、『「役職」が「係長」から「課長代理」に更新されています。』  と「電子名刺の送信をお勧めします。」とのメッセージをさらに「日本太郎」さんに報知する（図１４の矢印（２）参照）。
【００８３】
［実施例２の効果］
上記したように、実施例２によれば、交換声紋に対応付けて相手方携帯端末のユーザの電子名刺の個人情報と交換日時とを名刺交換情報記憶部２０ｂに記憶し、電子名刺を作成する際に用いる名刺情報が更新された場合に、更新日時と対応付けて更新された名刺情報を名刺情報記憶部２０ｃに記憶し、交換相手候補の声紋と一致する交換声紋がある場合に、名刺交換情報記憶部２０ｂが記憶する当該交換声紋に対応する交換日時と、名刺情報記憶部２０ｃが記憶する更新日時とを照合して、当該交換日時と当該更新日時との前後関係を判定し、判定された交換日時と更新日時との前後関係を携帯電話で報知するので、形態電話のユーザは、挨拶を交わした相手と過去交換した電子名刺に変更があるか否かを認識して、挨拶を交わした相手と対応することができ、電子名刺の交換に際して、相手に対する失礼を回避することが可能になる。
【００８４】
また、実施例２によれば、交換日時が更新日時の前である場合は、当該更新日時に対応する更新された名刺情報と、当該更新された名刺情報に基づいて作成した電子名刺の送信を促すメッセージとをさらに携帯電話で報知するので、携帯電話のユーザは、挨拶を交わした相手と過去交換した電子名刺に変更があることを認識して、更新した電子名刺の送信を申し出るなどの速やかな対応をすることができ、電子名刺の交換に際して、相手に対する失礼を回避することが可能になる。
【実施例３】
【００８５】
上述した実施例２では、一致する交換声紋があり、電子名刺の交換後に名刺が更新された場合に、電子名刺の送信を促すメッセージを携帯電話で報知する場合を説明したが、実施例３では、一致する交換声紋があり、電子名刺の交換後に名刺が更新されていない場合には、デザインを変更した電子名刺の送信を促すメッセージを携帯電話で報知する場合について説明する。
【００８６】
［実施例３における携帯電話装置の概要および特徴］
まず最初に、図１６−１および図１６−２を用いて、実施例３における携帯電話装置の主たる特徴を具体的に説明する。図１６−１および図１６−２は、実施例３における携帯電話装置の概要および特徴を説明するための図である。
【００８７】
実施例３における携帯電話装置は、実施例１および実施例２と同様に、ユーザの個人情報を表す電子名刺を送受信して名刺交換する携帯電話に備えられる。
【００８８】
実施例３における携帯電話装置は、ユーザが入力したデザインに従って当該ユーザの個人情報を構成した電子名刺を携帯電話の画面に表示し、当該デザインに従って構成された電子名刺の送信許可を当該ユーザから受け付けて交換相手候補の携帯電話に送信する。具体的には、図１６−１に示すように、「ユーザ：日本太郎」が指定した「デザイン情報」にある名刺デザイン（Ｎｏ．１、Ｎｏ．２、Ｎｏ．３）に従って、「ユーザ：日本太郎」さんの「名刺情報（更新日時：２００５年４月１日）」を構成して、携帯電話の画面に表示し（図１６−１の下図参照）、例えば、Ｎｏ．１の名刺デザインに従って構成された電子名刺の送信許可を「ユーザ：日本太郎」から受け付けて「ユーザ：東京一郎」の携帯電話に送信する（図１参照）。
【００８９】
ここで、実施例３における携帯電話装置は、交換声紋に対応付けて送信された電子名刺の名刺デザインをさらに記憶する。すなわち、図１６−２に示すように、カードにおける携帯電話装置は、「名刺交換情報」として電子名刺を交換した相手方携帯電話のユーザの「交換声紋」、「交換日時」および『受信した電子名刺の「個人情報」』とともに、相手方携帯電話に送信した電子名刺の「名刺デザイン」を「管理番号」とを対応付けて記憶する。例えば、図１に示した「氏名：東京一郎」さんの電子名刺の個人情報（「会社名」、「部署名」、「役職」などの所属情報と、「住所」、「電話番号」、「ＦＡＸ番号」、「メールアドレス」などの連絡先情報）を、「管理番号：２」、「交換声紋：パターン２」、「交換日時：２００５年１２月６日」および「名刺デザイン：Ｎｏ．１」と対応付けて、「名刺交換情報」として記憶する。
【００９０】
そして、実施例３における携帯電話装置は、実施例１および実施例２における携帯電話装置と同様に、電子名刺の交換相手の候補となるユーザの声紋を取得する。例えば、「日本太郎」さんは、挨拶を交わす際に（例えば、２００６年１２月５日に）、「ユーザ：日本太郎」の携帯電話が備える音声入力ボタンを押下し、「ユーザ：日本太郎」の携帯電話を介して交換相手候補の音声に基づく声紋を取得する（図１６−２の（１）参照）。
【００９１】
そして、実施例３における携帯電話装置は、実施例１および実施例２における携帯電話装置と同様に、取得した交換相手候補の声紋と記憶された交換声紋とを照合して、一致する声紋があるか否かを判定する。例えば、取得した交換相手候補の声紋と「名刺交換情報」にある「交換声紋」とを照合して、交換相手候補の声紋と一致するパターンがあるか否かを判定する（図１６−２の（２）参照）。
【００９２】
そして、実施例３における携帯電話装置は、実施例２における携帯電話装置と同様に、交換相手候補の声紋と一致する交換声紋がある場合に、「名刺交換情報」が記憶する当該交換声紋に対応する「交換日時」と、「名刺情報」が記憶する「最新の更新日時」とを照合して、当該交換日時と当該更新日時との前後関係を判定する（図１６−２の（３）参照）。例えば、図１６−２に示すように、取得した交換相手候補の声紋が、「名刺交換情報」にある「管理番号：２、交換声紋：パターン２、氏名：東京一郎」と一致する場合、「名刺交換情報」が記憶する「管理番号：２、交換声紋：パターン２」に対応する「交換日時：２００５年１２月６日」と、「名刺情報」が記憶する「最新の更新日時：２００５年４月１日」とを照合して、「名刺情報」が更新後に電子名刺を交換していると判定する（図１６−２の（４）参照）。その際、「ユーザ：日本太郎」の携帯電話が「ユーザ：東京一郎」の携帯電話に送信した電子名刺の「名刺デザイン」が「Ｎｏ．１」であることも取得する。
【００９３】
そして、実施例３における携帯電話装置は、交換日時が更新日時の後である場合は、交換相手候補の携帯電話に当該デザインを変更した電子名刺の送信を促すメッセージを報知する。具体的には、図１６−２に示すように、「名刺情報」が更新後に電子名刺を交換していた場合は、例えば、「ユーザ：日本太郎」さんの携帯電話の画面に、「電子名刺の交換済みです。以前交換した名刺のデザインは、Ｎｏ．１です。デザインを変更した電子名刺を送信することをお勧めします。」と表示する（図１６−２の（５）参照）。さらに、この際、「デザインを変更しますか？」のメッセージを、「Ｙｅｓ」および「Ｎｏ」のボタンとともに表示し、「デザインを指定してください」のメッセージを、「名刺デザイン：Ｎｏ．１」以外の「名刺デザイン」である「Ｎｏ．２」および「Ｎｏ．３」を指定するラジオボタンとともに表示し、「構成を確認しますか？」のメッセージを、指定した「名刺デザイン」に従って構成した「電子名刺」を携帯電話の画面で確認するか否かを選択する「Ｙｅｓ」および「Ｎｏ」のボタンとともに表示し、「送信しますか？」のメッセージを、電子名刺の送信を許可するボタンである「Ｙｅｓ」と、送信を許可しないボタンである「Ｎｏ」とともに表示する（図１６−２の（５）参照）。
【００９４】
このようなことから、実施例３における携帯電話装置を用いることで、携帯電話のユーザは、挨拶を交わした相手と過去交換した電子名刺に変更がない場合でも、デザインを変更した電子名刺の送信を申し出るなどの対応することができ、電子名刺の交換に際して、相手に対する失礼を回避することが可能になる。
【００９５】
［実施例３における携帯電話装置の構成］
次に、図１７〜２１を用いて、実施例３における携帯電話装置を説明する。図１７は、実施例３における携帯電話装置の構成を示すブロック図であり、図１８は、実施例３における名刺交換情報記憶部を説明するための図であり、図１９は、デザイン情報記憶部を説明するための図であり、図２０は、実施例３における声紋照合部を説明するための図であり、図２１は、実施例３における名刺交換処理部を説明するための図である。
【００９６】
図１７に示すように、実施例３における携帯電話装置１０は、図９に示した実施例２における携帯電話装置１０と同様に、携帯電話に備えられ、入力部１１と、出力部１２と、通信部１３と、入出力制御部Ｉ／Ｆ部１４と、記憶部１５と、処理部１６、カード通信制御Ｉ／Ｆ部１７とから構成され、カード２０と接続されるが、カード２０にデザイン情報記憶部２０ｄを新たに備え、さらに、名刺交換処理部１６ｃの処理の内容が異なる。以下、これらを中心に説明する。なお、名刺交換処理部１６ｃは、特許請求の範囲に記載の「声紋照合判定結果報知手順」、「更新日時前後関係報知手順」および「電子名刺処理手順」に対応する。
【００９７】
デザイン情報記憶部２０ｄは、カード２０に備えられ、携帯電話のユーザの個人情報を電子名刺として構成するデザインを記憶する。例えば、図１９に示すように、「名刺デザイン：Ｎｏ．１」と「表記：日本語」と「形態：横書き」と「写真：無し」とを対応付けて記憶する。なお、本発明はこれに限られるものではなく、「表記」として「アルファベット」や、「写真」の有無の他に「似顔絵」の有無など様々なデザインを記憶してもよい。
【００９８】
名刺交換処理部１６ｃは、ユーザが入力したデザインに従って当該ユーザの個人情報を構成した電子名刺を携帯電話の画面に表示し、当該デザインに従って構成された電子名刺の送信許可を当該ユーザから受け付けて交換相手候補の携帯電話に送信する。例えば、名刺交換処理部１６ｃは、「ユーザ：日本太郎」が携帯電話の入力部１１を介して「デザイン情報記憶部２０ｃが記憶するデザイン」の中から指定したデザインに従って、「ユーザ：日本太郎」の個人情報を構成した電子名刺を携帯電話の画面に表示する。例えば、図１６−１に示すように、「名刺デザイン：Ｎｏ．１」が指定されると、「表記：日本語」と「形態：横書き」と「写真：無し」で構成した電子名刺を「ユーザ：日本太郎」の携帯電話の画面に表示し、「ユーザ：日本太郎」から入力部１１を介して送信許可を受け付けた場合に、交換相手候補の携帯電話に送信する。
【００９９】
名刺交換情報記憶部２０ｂは、交換声紋に対応付けて送信された電子名刺の名刺デザインをさらに記憶する。すなわち、図１８に示すように、名刺交換情報記憶部２０ｂは、電子名刺を交換した相手方携帯電話のユーザの「交換声紋」、「交換日時」および『受信した電子名刺の「個人情報」』とともに、相手方携帯電話に送信した電子名刺の「名刺デザイン」を「管理番号」とを対応付けて記憶する。例えば、「氏名：東京一郎」さんの電子名刺の個人情報（「会社名：株式会社ＤＥＦ」、「部署名：事業部第一事業課」、「役職：課長」、「住所：東京都新宿区・・・・・」、「電話番号：０３−ｚｚｚｚ−ｗｗｗｗ」、「ＦＡＸ番号：０３−ｃｃｃｃ-ｄｄｄｄ」および「メールアドレス：ｔｏｋｙｏ＠ｄｅｆ．ｃｏ．ｊｐ」）を、「管理番号：２」、「交換声紋：パターン２」、「交換日時：２００５年１２月６日」および「名刺デザイン：Ｎｏ．１」と対応付けて記憶する。
【０１００】
声紋取得部１６ａは、実施例１および実施例２と同様に、電子名刺の交換相手の候補となるユーザの声紋を取得し、その結果を、取得声紋記憶部１５ａに格納する。例えば、「日本太郎」さんは、交換相手候補と挨拶を交わす際に（例えば、２００６年１２月５日に）、「ユーザ：日本太郎」の携帯電話が備える音声入力ボタンを押下し、「ユーザ：日本太郎」の携帯電話を介して交換相手候補の音声に基づく声紋を取得する（図１６−２の（１）参照）。
【０１０１】
声紋照合部１６ｂは、実施例２と同様に、取得声紋記憶部１５ａが記憶する取得した交換相手候補の声紋と、名刺交換情報記憶部２０ｂが記憶する交換声紋とを照合して、一致する声紋があるか否かを判定し、その結果を、照合結果記憶部１５ｂに格納する。例えば、図２０に示すように、取得した声紋が、「管理番号：２、交換声紋：パターン２、氏名：東京一郎」と一致すると判定し、「管理番号：２」に対応する情報（図２０の灰色で示した情報）を照合結果記憶部１５ｂに格納する。
【０１０２】
前後関係判定部１６ｄは、交換相手候補の声紋と一致する交換声紋がある場合に、照合結果記憶部１５ｂが記憶する当該交換声紋に対応する「交換日時」と、名刺情報記憶部２０ｃが記憶する「最新の更新日時」とを照合して、当該交換日時と当該更新日時との前後関係を判定し、その結果を前後関係判定結果記憶部１５ｃに格納する。例えば、「管理番号：２、交換声紋：パターン２」に対応する「交換日時：２００５年１２月６日」（図２０参照）と、名刺情報記憶部２０ｃが記憶する「最新の更新日時：２００５年４月１日」（図１６の「名刺情報」参照）とを照合して、「名刺情報」が更新後に電子名刺を交換していると判定し、その際、「ユーザ：日本太郎」の携帯電話が「ユーザ：東京一郎」の携帯電話に送信した電子名刺の「名刺デザイン」が「Ｎｏ．１」であることも取得する。
【０１０３】
ここで、名刺交換処理部１６ｃは、交換日時が更新日時の後である場合は、交換相手候補の携帯電話に当該デザインを変更した電子名刺の送信を促すメッセージを報知する。具体的には、図２１に示すように、「名刺情報」が更新後に電子名刺を交換していたので、例えば、「ユーザ：日本太郎」さんの携帯電話の画面に、「電子名刺の交換済みです。以前交換した名刺のデザインは、Ｎｏ．１です。デザインを変更した電子名刺を送信することをお勧めします。」と表示する。さらに、この際、「デザインを変更しますか？」のメッセージを、「Ｙｅｓ」および「Ｎｏ」のボタンとともに表示し、「デザインを指定してください」のメッセージを、「名刺デザイン：Ｎｏ．１」以外の「名刺デザイン」である「Ｎｏ．２」および「Ｎｏ．３」を指定するラジオボタンとともに表示し、「構成を確認しますか？」のメッセージを、指定した「名刺デザイン」に従って構成した「電子名刺」を携帯電話の画面で確認するか否かを選択する「Ｙｅｓ」および「Ｎｏ」のボタンとともに表示し、「送信しますか？」のメッセージを、電子名刺の送信を許可するボタンである「Ｙｅｓ」と、送信を許可しないボタンである「Ｎｏ」とともに表示する。
【０１０４】
なお、名刺交換処理部１６ｃは、声紋照合部１６ｂが照合結果記憶部１５ｂに格納した結果が、「交換相手候補の声紋と一致する交換声紋がなし」の場合は、実施例１および実施例２と同様に、当該交換相手候補の携帯端末へ電子名刺の送信を促すメッセージを報知する。
【０１０５】
また、名刺交換処理部１６ｃは、前後関係判定部１６ｄが前後関係判定結果記憶部１５ｃに格納した結果が、「交換日時が更新日時の前」である場合は、実施例２と同様に、当該更新日時に対応する更新された個人情報と、当該更新された個人情報に基づいて作成した電子名刺の送信を促すメッセージとを報知する。
【０１０６】
［実施例３における携帯電話装置による処理の手順］
次に、図２２を用いて、実施例３における携帯電話装置１０による処理を説明する。図２２は、実施例３における携帯電話装置の処理の手順を説明するための図である。
【０１０７】
まず、実施例３における携帯電話装置１０は、音声入力ボタンが押されると（ステップＳ２２０１肯定）、実施例２と同様に（図１５に示したステップＳ１５０２〜ステップＳ１５０４と同様に）、「交換相手候補の声紋の取得」と、「交換相手候補の声紋と交換声紋とを照合」と、「交換相手候補の声紋と一致する交換声紋があるか否かの判定」を行なう（ステップＳ２２０２〜ステップＳ２２０４）。
【０１０８】
そして、名刺交換処理部１６ｃは、一致する声紋がないと（ステップＳ２２０４否定）、実施例１および実施例２と同様に、「一致する交換声紋がないとする情報とともに、電子名刺交換を促すメッセージ」を携帯電話で報知して（ステップＳ２２０６）、処理を終了する。
【０１０９】
これに反して、一致する声紋があると（ステップＳ２２０４肯定）、前後関係判定部１６ｄは、実施例２と同様に、照合結果記憶部１５ｂが記憶する当該交換声紋に対応する「交換日時」と、名刺情報記憶部２０ｃが記憶する「最新の更新日時」とを照合する（ステップＳ２２０５）。
【０１１０】
そして、名刺情報更新後に名刺交換してない場合（「交換日時」が「最新の更新日時」の前である場合）は（ステップＳ２２０７否定）、実施例２と同様に、名刺交換処理部１６ｃは、その結果とともに、更新された情報と、当該交換相手候補の携帯端末へ電子名刺の送信を促すメッセージをさらに報知して（ステップＳ２２０９）、処理を終了する。
【０１１１】
これに反して、名刺情報更新後に名刺交換している場合（「交換日時」が「最新の更新日時」の後である場合）は（ステップＳ２２０７肯定）、名刺交換処理部１６ｃは、交換相手候補の携帯電話に当該デザインを変更した電子名刺の送信を促すメッセージを報知して（ステップＳ２２０９）、処理を終了する。
【０１１２】
具体的には、図２１に示すように、「名刺情報」が更新後に電子名刺を交換していたので、例えば、「ユーザ：日本太郎」さんの携帯電話の画面に、「電子名刺の交換済みです。以前交換した名刺のデザインは、Ｎｏ．１です。デザインを変更した電子名刺を送信することをお勧めします。」と表示する。さらに、この際、「デザインを変更しますか？」のメッセージを、「Ｙｅｓ」および「Ｎｏ」のボタンとともに表示し、「デザインを指定してください」のメッセージを、「名刺デザイン：Ｎｏ．１」以外の「名刺デザイン」である「Ｎｏ．２」および「Ｎｏ．３」を指定するラジオボタンとともに表示し、「構成を確認しますか？」のメッセージを、指定した「名刺デザイン」に従って構成した「電子名刺」を携帯電話の画面で確認するか否かを選択する「Ｙｅｓ」および「Ｎｏ」のボタンとともに表示し、「送信しますか？」のメッセージを、電子名刺の送信を許可するボタンである「Ｙｅｓ」と、送信を許可しないボタンである「Ｎｏ」とともに表示する。
【０１１３】
［実施例３の効果］
上記したように、実施例３によれば、ユーザが入力したデザインに従って当該ユーザの個人情報を構成した電子名刺を携帯電話に表示し、当該デザインに従って構成された電子名刺の送信許可を当該ユーザから受け付けて交換相手候補の携帯電話に送信でき、交換声紋に対応付けて送信された電子名刺のデザインをさらに記憶し、交換日時が更新日時の後である場合は、交換相手候補の携帯電話に当該デザインを変更した電子名刺の送信を促すメッセージを報知するので、携帯端末のユーザは、挨拶を交わした相手と過去交換した電子名刺に変更がない場合でも、デザインを変更した電子名刺の送信を申し出るなどの対応することができ、電子名刺の交換に際して、相手に対する失礼を回避することが可能になる。
【実施例４】
【０１１４】
さて、これまで実施例１〜３における携帯電話装置について説明したが、本発明は上述した実施例以外にも、種々の異なる形態にて実施されてよいものである。そこで、以下では、実施例４における携帯電話装置として、種々の異なる実施例を（１）〜（６）に区分けして説明する。
【０１１５】
（１）記憶部
上記の実施例１〜３では、携帯端末に接続されるカードに格納される記憶部が記憶する情報を処理する場合を説明したが、本発明はこれに限定されるものではなく、例えば、図２３の（Ａ）に示すように、携帯端末の内部に「名刺交換情報」や「名刺情報」などを記憶する記憶部を備えて、これらの情報を処理する場合であってもよく、あるいは、図２３の（Ｂ）に示すように、記憶部が別途サーバ装置などに格納され、記憶部が記憶する情報を、携帯端末がネットワークなどの無線通信を介して取得して処理する場合であってもよい。
【０１１６】
また、上記の実施例２および実施例３では、処理に用いられる複数の記憶部がすべて格納されている場合を説明したが、本発明はこれに限定されるものではなく、携帯端末との間で分散して格納する場合であってもよい。例えば、図９に示す名刺情報記憶部２０ｃを携帯電話装置１０の記憶部１５に分散して格納する場合であってもよい。
【０１１７】
（２）アプリケーション
上記の実施例１〜３では、電子名刺交換方法を実施するアプリケーションが携帯端末に備わっている場合について説明したが、本発明はこれで限定されるものではなく、図２３の（Ｃ）に示すように、当該アプリケーションが携帯端末と通信可能な装置に備えられる場合であってもよい。例えば、携帯端末は、入力した交換候補相手の音声データを当該装置に送信し、当該装置は、受信した音声データから声紋を取得して、取得した声紋を処理した結果を当該携帯端末に報知する場合であってもよい。
【０１１８】
（３）報知方法
上記の実施例１〜３では、処理結果を携帯端末の画面に表示する場合について説明したが、本発明はこれに限定されるものではなく、音声やバイブレータなどの携帯端末が有する他の出力機能を用いる場合であってもよい。例えば、取得した声紋が交換声紋に一致しない場合は、携帯端末一回振動させるなどしてユーザに報知してもよい。
【０１１９】
（４）交換相手候補
上記の実施例１〜３では、交換相手候補が一人の場合について説明したが、本発明はこれに限定されるものではなく、交換相手候補が複数の場合であってもよい。例えば、複数の交換相手候補と挨拶を行なって、複数の声紋を取得して処理を行ってもよい。
【０１２０】
（５）システム構成等
また、上記の実施例において説明した各処理のうち、自動的におこなわれるものとして説明した処理の全部または一部を手動でおこなうこともでき（例えば、入力した音声データから自動的に声紋を取得するのではなく、ユーザからの声紋取得要求を受け付けるなど）、あるいは、手動的におこなうものとして説明した処理の全部または一部を公知の方法で自動的におこなうこともできる。この他、上記文章中や図面中で示した処理手順、具体的名称、各種のデータやパラメータを含む情報（例えば、図１０に示す名刺交換情報など）については、特記する場合を除いて任意に変更することができる。
【０１２１】
また、図示した各装置の各構成要素は機能概念的なものであり、必ずしも物理的に図示の如く構成されていることを要しない。すなわち、各処理部および各記憶部の分散・統合の具体的形態（例えば、図９の形態など）は図示のものに限られず、例えば、前後関係判定部１６ｄと名刺交換処理部１６ｃとを統合するなど、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１２２】
（６）電子名刺交換プログラム
ところで上記の実施例１〜３では、ハードウェアロジックによって各種の処理を実現する場合を説明したが、本発明はこれに限定されるものではなく、あらかじめ用意されたプログラムをコンピュータで実行するようにしてもよい。そこで以下では、図２４を用いて、上記の実施例１に示した携帯電話装置１０と同様の機能を有する電子名刺交換プログラムを実行するコンピュータの一例を説明する。図２４は、実施例１における電子名刺交換プログラムを実行するコンピュータを示す図である。
【０１２３】
図２４に示すように、情報処理装置としてのコンピュータ２４０は、キーボード２４１、ディスプレイ２４２、ＣＰＵ２４３、ＲＯＭ２４４、ＨＤＤ２４５、ＲＡＭ２４６およびカード通信制御Ｉ／Ｆ部１７をバス２４７などで接続して構成され、さらに、カード２０に接続される。
【０１２４】
ＲＯＭ２４４には、上記の実施例１に示した携帯電話装置１０と同様の機能を発揮する電子名刺交換プログラム、つまり、図２４に示すように、声紋取得プログラム２４４ａ、声紋照合プログラム２４４ｂ、名刺交換処理プログラム２４４ｃが予め記憶されている。なお、これらのプログラム２４４ａ〜２４４ｃについては、図３に示した携帯電話装置１０の各構成要素と同様、適宜統合または分散してもよい。
【０１２５】
そして、ＣＰＵ２４３が、これらのプログラム２４４ａ〜２４４ｃをＲＯＭ２４４から読みだして実行することで、図２４に示すように、各プログラム２４４ａ〜２４４ｃは、声紋取得プロセス２４３ａ、声紋照合プロセス２４３ｂ、名刺交換処理プロセス２４３ｃとして機能するようになる。なお、各プロセス２４３ａ〜２４３ｃは、図３に示した、声紋取得部１６ａ、声紋照合部１６ｂ、名刺交換処理部１６ｃにそれぞれ対応する。
【０１２６】
そしてＣＰＵ２４３は、カード２０からカード通信制御Ｉ／Ｆ部１７を介して交換声紋データ２４６ｂを登録し、ＲＡＭ２４６に格納された取得声紋記憶データ２４６ａと、交換声紋記憶データ２４６ｂと、照合結果記憶データ２４６ｃとに基づいて電子名刺交換処理を実行する。
【０１２７】
なお、上記した各プログラム２４４ａ〜２４４ｃについては、必ずしも最初からＲＯＭ２４４に記憶させておく必要はなく、例えばコンピュータ２４０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ２４０の内外に備えられるＨＤＤなどの「固定用物理媒体」、さらには、公衆回線、インターネット、ＬＡＮ、ＷＡＮなどを介してコンピュータ２４０に接続される「他のコンピュータ（またはサーバ）」などに各プログラムを記憶させておき、コンピュータ２４０がこれらから各プログラムを読み出して実行するようにしてもよい。
【０１２８】
（付記１）ユーザの個人情報を表す電子名刺を携帯端末間で送受信して名刺交換する電子名刺交換方法をコンピュータに実行させる電子名刺交換プログラムであって、
前記電子名刺を交換した相手方携帯端末のユーザの声紋である交換声紋を所定の記憶部に記憶する交換声紋記憶手順と、
前記電子名刺の交換相手の候補となる交換相手候補の声紋を取得する声紋取得手順と、
前記声紋取得手順が取得した交換相手候補の声紋と、前記交換声紋記憶手順に記憶された前記交換声紋とを照合して、一致する声紋があるか否かを判定する声紋照合判定手順と、
前記声紋照合判定手順によって判定された結果を前記携帯端末で報知する声紋照合判定結果報知手順と、
をコンピュータに実行させることを特徴とする電子名刺交換プログラム。
【０１２９】
（付記２）前記声紋照合判定結果報知手順は、前記声紋照合判定手順によって前記交換相手候補の声紋と一致する前記交換声紋がない場合は、当該交換相手候補の携帯端末へ前記電子名刺の送信を促すメッセージをさらに報知することを特徴とする付記１に記載の電子名刺交換プログラム。
【０１３０】
（付記３）前記交換声紋記憶手順は、前記交換声紋に対応付けて前記相手方携帯端末のユーザの電子名刺の個人情報と交換日時とをさらに記憶し、
前記電子名刺を作成する際に用いる前記個人情報が更新された場合に、更新日時と対応付けて更新された個人情報を所定の記憶部に記憶する個人情報記憶手順と、
前記声紋照合判定手順によって前記交換相手候補の声紋と一致する前記交換声紋がある場合に、前記交換声紋記憶手順が記憶する当該交換声紋に対応する前記交換日時と、前記個人情報手順が記憶する前記更新日時とを照合して、当該交換日時と当該更新日時との前後関係を判定する更新日時前後関係判定手順と、
前記更新日時前後関係判定手順によって判定された前記交換日時と前記更新日時との前後関係を前記携帯端末で報知する更新日時前後関係報知手順と、
をさらにコンピュータに実行させることを特徴とする付記１または２に記載の電子名刺交換プログラム。
【０１３１】
（付記４）前記更新日時前後関係報知手順は、前記交換日時が前記更新日時の前である場合は、前記個人情報記憶手順が記憶する当該更新日時に対応する更新された個人情報と、当該更新された個人情報に基づいて作成した電子名刺の送信を促すメッセージとをさらに報知することを特徴とする付記３に記載の電子名刺交換プログラム。
【０１３２】
（付記５）前記ユーザが入力したデザインに従って当該ユーザの前記個人情報を構成した電子名刺を前記携帯端末に表示し、当該デザインに従って構成された電子名刺の送信許可を当該ユーザから受け付けて前記交換相手候補の携帯端末に送信する電子名刺処理手順をさらにコンピュータに実行させ、
前記交換声紋記憶手順は、前記交換声紋に対応付けて前記電子名刺処理手順によって送信された前記電子名刺の前記デザインをさらに記憶し、
前記更新日時前後関係報知手順は、前記交換日時が前記更新日時の後である場合は、前記交換相手候補の携帯端末に当該デザインを変更した電子名刺の送信を促すメッセージを報知することを特徴とする請求項４に記載の電子名刺交換プログラム。
【０１３３】
（付記６）ユーザの個人情報を表す電子名刺を携帯端末間で送受信して名刺交換する電子名刺交換装置であって、
前記電子名刺を交換した相手方携帯端末のユーザの声紋である交換声紋を記憶する交換声紋記憶手段と、
前記電子名刺の交換相手の候補となる交換相手候補の声紋を取得する声紋取得手段と、
前記声紋取得手段が取得した交換相手候補の声紋と、前記交換声紋記憶手段に記憶された前記交換声紋とを照合して、一致する声紋があるか否かを判定する声紋照合判定手段と、
前記声紋照合判定手段によって判定された結果を前記携帯端末で報知する声紋照合判定結果報知手段と、
を備えたことを特徴とする電子名刺交換装置。
【０１３４】
（付記７）ユーザの個人情報を表す電子名刺を携帯端末間で送受信して名刺交換する電子名刺交換方法であって、
前記電子名刺を交換した相手方携帯端末のユーザの声紋である交換声紋を記憶する交換声紋記憶工程と、
前記電子名刺の交換相手の候補となる交換相手候補の声紋を取得する声紋取得工程と、
前記声紋取得工程が取得した交換相手候補の声紋と、前記交換声紋記憶工程に記憶された前記交換声紋とを照合して、一致する声紋があるか否かを判定する声紋照合判定工程と、
前記声紋照合判定工程によって判定された結果を前記携帯端末で報知する声紋照合判定結果報知工程と、
を含んだことを特徴とする電子名刺交換方法。
【産業上の利用可能性】
【０１３５】
以上のように、本発明に係る電子名刺交換プログラム、電子名刺交換装置および電子名刺交換方法は、ユーザの個人情報を表す電子名刺を携帯端末間で送受信して名刺交換する場合に有用であり、特に、電子名刺の交換に際して、相手に対する失礼を回避することが可能になることに適する。
【図面の簡単な説明】
【０１３６】
【図１】実施例１における携帯電話装置の概要を説明するための図である。
【図２】実施例１における携帯電話装置の特徴を説明するための図である。
【図３】実施例１における携帯電話装置の構成を示すブロック図である。
【図４】交換声紋記憶部を説明するための図である。
【図５】実施例１における声紋照合部を説明するための図である。
【図６】実施例１における名刺交換処理部を説明するための図である。
【図７】実施例１における携帯電話装置の処理の手順を説明するための図である。
【図８】実施例２における携帯電話装置の概要および特徴を説明するための図である。
【図９】実施例２における携帯電話装置の構成を示すブロック図である。
【図１０】実施例２における名刺交換情報記憶部を説明するための図である。
【図１１】名刺情報記憶部を説明するための図である。
【図１２】実施例２における声紋照合部を説明するための図である。
【図１３】前後関係判定部を説明するための図である。
【図１４】実施例２における名刺交換処理部を説明するための図である。
【図１５】実施例２における携帯電話装置の処理の手順を説明するための図である。
【図１６−１】実施例３における携帯電話装置の概要および特徴を説明するための図である。
【図１６−２】実施例３における携帯電話装置の概要および特徴を説明するための図である。
【図１７】実施例３における携帯電話装置の構成を示すブロック図である。
【図１８】実施例３における名刺交換情報記憶部を説明するための図である。
【図１９】デザイン情報記憶部を説明するための図である。
【図２０】実施例３における声紋照合部を説明するための図である。
【図２１】実施例３における名刺交換処理部を説明するための図である。
【図２２】実施例３における携帯電話装置の処理の手順を説明するための図である。
【図２３】他の実施例を説明するための図である。
【図２４】実施例１の電子名刺交換プログラムを実行するコンピュータを示す図である。
【符号の説明】
【０１３７】
１０  携帯電話装置
１１  入力部
１２  出力部
１３  通信部
１４  入出力制御Ｉ／Ｆ部
１５  記憶部
１５ａ  取得声紋記憶部
１５ｂ  照合結果記憶部
１６  処理部
１６ａ  声紋取得部
１６ｂ  声紋照合部
１６ｃ  名刺交換処理部
１７  カード通信制御Ｉ／Ｆ部
２０  カード
２０ａ  交換声紋記憶部
【図１】
2008171210.tif 000003
【図２】
2008171210.tif 000004
【図３】
2008171210.tif 000005
【図４】
2008171210.tif 000006
【図５】
2008171210.tif 000007
【図６】
2008171210.tif 000008
【図７】
2008171210.tif 000009
【図８】
2008171210.tif 000010
【図９】
2008171210.tif 000011
【図１０】
2008171210.tif 000012
【図１１】
2008171210.tif 000013
【図１２】
2008171210.tif 000014
【図１３】
2008171210.tif 000015
【図１４】
2008171210.tif 000016
【図１５】
2008171210.tif 000017
【図１６−１】
2008171210.tif 000018
【図１６−２】
2008171210.tif 000019
【図１７】
2008171210.tif 000020
【図１８】
2008171210.tif 000021
【図１９】
2008171210.tif 000022
【図２０】
2008171210.tif 000023
【図２１】
2008171210.tif 000024
【図２２】
2008171210.tif 000025
【図２３】
2008171210.tif 000026
【図２４】
2008171210.tif 000027